(57)【要約】【課題】食品粉末を煎じて浸出するろ過紙に関し，ドリップ機能と飲物等のカップ上縁に固定可能なろ過紙を提供する。【解決手段】ろ過紙の片面に補強板と突起付補強板を重ねて圧着固定して一体化後，山折りと谷折りに多角錐を形成して曲げ抵抗を大とし，突起付補強板の下部が外側へ可動するように形成されて飲物等のカップ上縁に固定する機能を付与したドリップ一体型ろ過紙を提供する。【選択図】図７
0003173593.tif 000002
【実用新案登録請求の範囲】
【請求項１】
ろ過紙と，
扇状の補強板と，
棘突起を形成するように山折りと谷折りした突起付補強板を，
前記ろ過紙の片面の円周３６０度にわたる領域に前記扇状の補強板と突起付補強板を複数個配置し，
前記ろ過紙と前記補強板の面が重合した領域を圧着固定し，
また，突起付補強板は飲物等のカップ縁を挟むように固定可能な隙間を形成するように，前記ろ過紙との重合する面の一部分を未圧着とし，残りの部分領域は圧着固定する事により前記ろ紙と前記補強板，および前記突起付補強板が一体化した複合紙を形成し，
該複合紙の任意の点から複数の平面放射線上で，山折りと谷折りを交互に折り畳む事で多角錐を形成し，
前記突起付補強板の鋭角部で，任意の大きさのカップ縁を挟んで固定できるようにしたことを特徴とするドリップ一体型ろ過紙。
【請求項２】
補強板と突起付補強板の各端部分が連なり補強板を形成するようにしたことを特徴とする
実用新案請求項１項に記載のドリップ一体型ろ過紙。
【請求項３】
紐，あるいは糸の各両端をろ過紙の任意の箇所，あるいは補強板の任意の箇所に固定し，持ち上げるようにしたことを特徴とする実用新案請求項第１項，および第２項に記載のドリップ一体型ろ過紙。
【考案の詳細な説明】
【技術分野】
【０００１】
本考案は食品粉末等，たとえば，コーヒー粉末を煎じ浸出に利用するドリップ機能を付与したろ過紙に関する。
【背景技術】
【０００２】
従来のコーヒー用ろ過紙は，１枚の紙を複雑な形に裁断されて各端面を圧着加工されている。使用時は圧着部が剥がれないように端部を約１０ｍｍの幅に折り曲げ，別途容易したドリップろ過器に入れて使用しなければならない欠点があった。
また，下記特許文献１には，次のような技術が開示されている．すなわち，ろ過紙とカップへの固定部を一体化したコーヒー包装体があるが，構造複雑で製造コスト大である。また，従来のコーヒーろ過紙と文献１の包装体は，製作時に一枚の紙を複雑に裁断されるので，紙素材の多くの残り部分が捨てられている。
本改善策として，１枚のろ過紙と１枚の厚手の紙を適切に裁断して重ね合わせて圧着一体化，折り畳む事により，ドリーパー容器を不要としたドリップ一体型ろ過紙を提供した。
具体的には，多角形，あるいは円形状に裁断したろ過紙，当該ろ過紙とほぼ相似な形状の厚紙を用意し，扇形状に裁断することにより２種類の補強板を複数作製，ろ過紙の片面の周上に適切に配置する。また，ろ過紙と補強板を重ねて圧着一体化して一枚の紙を形成，これを折り紙の手順で角錐体を作製し，突起付補強板の一部領域はろ過紙とは独立して可動して飲物等のカップの上縁を挟む事により力学的に安定状態で固定される。
本実用新案は、紙の素材として無駄な部分は少ない特徴をもつドリップ一体型ろ過紙を提供することにある。
【先行技術文献】
【特許文献】
【０００３】
【特許文献１】特開昭５９−１１５２６３号公報
【考案の概要】
【考案が解決しようとする課題】
【０００４】
本考案は熱湯を注ぐ事により食品粉末を煎じて浸出する過紙に関し，従来のろ過紙に必要なドリップ用ろ過器を不要としたことを特徴とする。
ろ過紙の中央部は角錐形状の先端であり細くなっている．例えば，コーヒー粉末を入れる事によりコーヒー浸出が簡単にできるようにした。使用後は，実用新案請求項第３項に記載のごとく持ち上げ用の紐，あるいは糸により取り上げて処分するので，熱湯による危険を避ける事ができる。
本考案のろ過紙は，単純構造で少ない素材により簡単に製作，且つ従来のドリップ式と同じ機能を持つろ過紙として利用が期待できる。
【課題を解決するための手段】
【０００５】
一枚のろ過紙は薄く，且つ，水や熱湯など液体に濡れ状態となると曲げに対して非常に弱く別途のドリップ用ろ過器など固定容器が必要である。
本課題を解決するため，ろ過紙の片面に補強板と突起付補強板を重ねてエンボス加工等により圧着固定して一体化後，折り紙のように山折りと谷折りを数多く繰り返した形にする事により，断面二次モーメントが大きくして曲げ抵抗を大とした。また，突起付補強板の下部は外側へ可動するように形成されて，飲物等のカップ上縁に固定する機能を付与する事によりドリップ機能を有するろ過紙を提供する。
【考案の効果】
【０００６】
本考案の効果として，ドリップ用ろ過器を用いることなく食品粉末等を煎じ浸出可能のろ過紙が提供される。特に，保管時は小さく角錐形状で折り畳まれ，利用時はカップの直径サイズに合わせて角錐先端の角度を変化させて飲物等のカップの上縁に固定できる。また。製作に用いる素材が，幾何学的に適切に考慮できるので，裁断して捨てられる部分も少なくすることができる。
【図面の簡単な説明】
【０００７】
【図１】ろ過紙を円形に裁断した形状例。
【図２】素材の対称線において扇形で裁断した２種の補強板の例。
【図３】補強板を突起状に折り曲げた箇所と突起付補強板の例。
【図４】２種類の補強板を連ねた例。
【図５】ろ過紙に図２，図３の補強板を一枚のろ過紙の上に配置し，エンボス一体化を作成する要領，Ａは圧着一体化の加工が施されない領域を示した例。
【図６】圧着して一体化した図５のろ過紙の対称線で山折り、谷折りした多角錐形状ドリップ一体型ろ過紙の例。
【図７】本考案の実施例を示し，吊るし用の糸を含めた例．
【考案を実施するための形態】
【０００８】
ろ過紙と複数の補強板がエンボス加工などにより圧着固定されてなる一枚の複合紙で，該複合紙の任意の点からの放射線上で，山折りと谷折りに畳む事で角錐状となるドリップ機能を有するろ過紙であって，飲物等カップの上縁の２箇所以上を突起付補強板とろ過紙の間で挟むようにして固定を可能とした。
本機能により，ろ過紙全体がドリップ形状となり，熱湯などを注ぐ事で食品粉末を煎じ浸出可能にした事を特徴とするドリップ一体型ろ過紙を提供する。
突起付補強板において，外側に棘突起を付ける事はヒトの腰椎の棘突起と同じ構造で，ろ過紙の曲げ変形を補強する機能をもつ。また，本考案のドリップ一体型ろ過紙製造において，ろ過紙と２種類の補強板を作製する素材が，幾何学的に無駄なく裁断を可能とする構造的特徴をもつ。
以下，本考案の実施形態のドリップ一体型ろ過紙について説明する。
図１は，コーヒー粉末等食品粉末を煎じて浸出するために一般に用いられる１枚のろ過紙を円形に裁断した形状の例。
図２は，該ろ過紙より厚さが大の紙において，前記ろ過紙の外周形状とほぼ同じ弧をもち，素材の対称線において扇形で裁断した補強板２と突起付補強板作成用の紙３の例を示す。
図３は，突起付補強板作成用の紙３を飛行機の垂直尾翼のように山折り，谷折りした突起付補強板４の例を示す．外側に棘突起を付ける事により，ろ過紙の曲げ変形を補強する機能を与える。突起高さが大きいほど曲げ抵抗は大となる．該突起は，熱湯を注ぐ前のドリップ一体型ろ過紙５を手で掴む部分とすることもできる。
実用新案請求項第２項は，２種類の補強板を作製する効率を高め，且つ素材の不要部分を少なくする目的とし，２種類の補強板２と突起付補強板作成用の紙３を連ねた形状でろ過紙と一体化するものである。
図４は，２種類の補強板を連ねた形で裁断した例である。
図５は，図１のろ過紙１の上に補強板２と突起付補強板４を配置し，それぞれの面が重なった領域をエンボス加工など圧着一体化する要領を示した例．領域Ａは，突起付補強板の鋭角部の一部分がろ過紙と重合して圧着一体化の加工が施されない部分を示す。領域Ａにより，ろ過紙と突起付補強板を面外に引っ張ると空間が生じて飲物等カップの上縁の部分を挟む機能が発現する。
図６は，図５に示したろ過紙と２種類の補強板を圧着一体化された紙の対称線で，折り紙のように放射線で山折り，谷折りにより作製される多角錐形状ドリップ一体型ろ過紙５の例を示す。
【実施例】
【０００９】
図７は，飲物等カップの上縁の部分８を挟み固定した多角錐形状ドリップ一体型ろ過紙５の実施例を示す。
実用新案請求項第３項は，使用後の多角錐形状ドリップ一体型ろ過紙５を手で持ち上げる紐，あるいは糸として角錐形状ドリップ一体型ろ過紙５の任意の点に固定し，持ち上げて吊る目的とする．紐や糸の色を考慮したデザイン，また固定点を複数点にする事もできる。吊るし糸は熱湯により高温となった本考案のドリップ一体型ろ過紙が簡単にカップから取り外しを可能とする。また，突起補強板４の一部を掴み取り外すこともできる。
本考案によって，取り扱いが簡便でドリップ機能を付与した食品粉末を煎じて浸出する優れた利点を有するろ過紙である。特に，少ない素材と適切なる折り畳みにより完成でき，低環境負荷と製造エネルギーを減じた利点も有する。
【産業上の利用可能性】
【００１０】
コヒー粉末などを煎じて浸出する時に、ドッパー不用なろ過紙として利用できる。
【符号の説明】
【００１１】
１  ろ過紙
２  扇状の補強板
３  突起付補強板作製用の紙
４  符号３を山折りした突起付補強板
５  山折り、谷折りした角錐形状ドリップ一体型ろ過紙
６  Ａの部分でカップ上部の縁を挟み固定する箇所
７  吊るし用糸
８  飲物等のカップの上縁
Ａ  ろ過紙と重合部をエンボス加工等により圧着一体化をしない領域
【図１】
0003173593.tif 000003
【図２】
0003173593.tif 000004
【図３】
0003173593.tif 000005
【図４】
0003173593.tif 000006
【図５】
0003173593.tif 000007
【図６】
0003173593.tif 000008
【図７】
0003173593.tif 000009